(57)【要約】【課題】  エレベータ内に閉じ込められた乗用者が、緊急事態を把握し、安全に脱出することができる、エレベータ用緊急避難システムを提供すること。【解決手段】  本発明は、エレベータ乗用空間（３０）に設けた緊急操作ボタン（３４）を利用して、補助制御盤（７０）、補助ドア開け器（３２）、予備電力システム（４０）に切り換えてこれを使用し、エレベータ乗用空間（３０）とエレベータ昇降空間（１０）との間に設けた光感応システム（５０）と方向判別定位システム（６０）とにより、エレベータの位置を検知することによって、乗用者が簡易、かつ自動、そして安全に脱出することができる、エレベータ用緊急避難システムである。【選択図】図１
2005212939.tif 000002
【特許請求の範囲】
【請求項１】
エレベータ用緊急救援システムであって、
高層ビル内に設けられ、各階の対応する位置にエレベータドアの開け口を設けるエレベータの昇降空間と、
前記エレベータの昇降空間に設置される昇降動力システムと、
前記昇降動力システムに連結して前記エレベータの昇降空間内を昇降自在に構成し、前記エレベータドアの開け口に対応して電動乗用空間ドアを設け、その電動乗用空間ドアの近傍には補助ドア開け器を配置し、内部には前記昇降動力システムを操作できるコントロールパネルと緊急操作ボタンを設けるエレベータ乗用空間と、
前記昇降動力システムと前記補助ドア開け器に繋がっており、前記緊急操作ボタンにより操作できる予備電力システムと、
感応遮蔽シートと光感応スイッチとを、前記エレベータ乗用空間と前記エレベータの昇降空間の対応する位置に設ける光感応システムと、
前記エレベータ乗用空間と前記エレベータの昇降空間の対応する位置に配置する方向判別定位システムと、
前記予備電力システムの電力に支配され、前記光感応システムと前記方向判別システムとに繋がるプロセス制御素子を有し、前記エレベータ昇降空間の緊急ボタンによって操作できる補助制御盤と、からなることを特徴とした、
エレベータ用緊急救援システム。
【請求項２】
請求項１に記載したエレベータ用緊急救援システムにおいて、前記エレベータ乗用空間内の緊急操作ボタンが、前記補助制御盤の運転に合わせて点滅することを特徴とした、エレベータ用緊急救援システム。
【請求項３】
請求項１に記載したエレベータ用緊急救援システムにおいて、前記補助制御盤が運転する際、高層ビルの警備室にある中央コントロールシステムへ同期につながることを特徴とした、エレベータ用緊急救援システム。
【請求項４】
請求項１に記載したエレベータ用緊急救援システムにおいて、前記昇降動力システムは主要動力セットと予備電力セットとを具備し、前記主要動力セットと前記予備電力セットとは電磁クラッチにより繋がっており、それぞれ独立して運転できることを特徴とした、エレベータ用緊急救援システム。
【請求項５】
請求項１に記載したエレベータ用緊急救援システムにおいて、前記エレベータ乗用空間の前記緊急操作ボタンは指示パネルに配置されており、前記指示パネルは前記補助制御盤の運転に合わせて点滅することを特徴とした、エレベータ用救急救援システム。
【請求項６】
請求項１に記載したエレベータ用緊急救援システムにおいて、前記方向判別定位システムは、前記エレベータ乗用空間に設けられたプッシュ板と、前記プッシュ板に対応する前記エレベータ昇降空間内に設けられた上限スイッチと下向きコマンドスイッチとより構成しており、前記上限スイッチは前記補助制御盤の運転時に前記下向きコマンドスイッチを起動させることを特徴とした、エレベータ用緊急救援システム。
【発明の詳細な説明】
【技術分野】
【０００１】
本発明は、高層ビルのエレベータシステムに適用できるエレベータ用緊急救援システムであって、エレベータ乗用空間に設けた緊急操作ボタンにより、補助制御盤と補助ドア開け器とを予備電力システムを介して作動させ、また同時にエレベータ乗用空間とエレベータ昇降空間との間に配置した光感応システムと方向判別定位システムとを作動させることによって、エレベータ内に人が閉じ込められた場合でも、自動運転により安全に非難することができる、エレベータ用緊急救援システムに関するものである。
【背景技術】
【０００２】
従来のエレベータの安全設備は、エレベータに閉じ込められた乗客が、エレベータ内に設けられた緊急ボタンを押すことによって、警備室に支援を求めるものである。
【発明の開示】
【発明が解決しようとする課題】
【０００３】
しかし、前記した従来のエレベータ用緊急救援システムにあっては、次のような問題点がある。
＜１＞従来のエレベータは、停電もしくはシステムが故障した場合、エレベータの停止位置が確認できないので、救援にきた者がエレベータの停止位置を確認した後でないと、予備システムを使用してエレベータの乗用空間を開けることができない。
また、エレベータ内の乗用者には、エレベータの中で待つか、若しくは避難ドアから脱出するという二つの選択肢があるが、地震や火災などの災害時にエレベータ内で待機することは好ましくなく、かといってエレベータの状況を把握し得ない状況で、避難ドアを開けて脱出するのにも危険が伴う。
＜２＞エレベータのコントロールシステムが故障すると、エレベータの動力源は自動的にロックされ、しかも乗用者はエレベータの位置が把握できないため、操作することもできない。
また、エレベータの位置と各階へ通じるドアとの高さに段差がある場合、乗用者がエレベータから避難するには危険が伴う。ましてやこの段差が大きい場合、より危険度は高くなる。
＜３＞また、エレベータのコントロールシステムが故障し、エレベータのロックされた位置が、一番下若しくは一番上にある階のドア位置を超えてしまっている場合、乗用者は脱出することができない。
【課題を解決するための手段】
【０００４】
上記のような課題を解決するために、本発明のエレベータ用緊急救援システムは、高層ビル内に設けられ、各階の対応する位置にエレベータドアの開け口を設けるエレベータの昇降空間と、前記エレベータの昇降空間内に設置される昇降動力システムと、前記昇降動力システムに連結して前記エレベータの昇降空間内を昇降自在に構成し、前記エレベータドアの開け口に対応して電動乗用空間ドアを設け、その電動乗用空間ドアの近傍には補助ドア開け器を配置し、内部には前記昇降動力システムを操作できるコントロールパネルと緊急操作ボタンを設けるエレベータ乗用空間と、前記昇降動力システムと前記補助ドア開け器に繋がっており、前記緊急操作ボタンにより操作できる予備電力システムと、感応遮蔽シートと光感応スイッチとを、前記エレベータ乗用空間と前記エレベータの昇降空間の対応する位置に設ける光感応システムと、前記エレベータ乗用空間と前記エレベータ昇降空間の対応する位置に配置する方向判別定位システムと、前記予備電力システムの電力に支配され、前記光感応システムと前記方向判別システムとに繋がるプロセス制御素子を有し、前記エレベータ昇降空間の緊急ボタンによって操作できる補助制御盤と、からなることを特徴とする。
また、前記したエレベータ用緊急救援システムにおいて、前記エレベータ乗用空間内の緊急操作ボタンが、前記補助制御盤の運転に合わせて点滅することを特徴とする。
【０００５】
さらに、前記したエレベータ用緊急救援システムにおいて、前記補助制御盤が運転する際、高層ビルの警備室にある中央コントロールシステムへ同期につながることを特徴とする。
【０００６】
さらに、前記したエレベータ用緊急救援システムにおいて、前記昇降動力システムは主要動力セットと予備電力セットとを具備し、前記主要動力セットと前記予備電力セットとは電磁クラッチにより繋がっており、それぞれ独立して運転できることを特徴とする。
【０００７】
さらに、前記したエレベータ用緊急救援システムにおいて、前記エレベータ乗用空間の前記緊急操作ボタンは指示パネルに配置されており、前記指示パネルは前記補助制御盤の運転に合わせて点滅することを特徴とする。
【０００８】
さらに、前記したエレベータ用緊急救援システムにおいて、前記方向判別定位システムは、前記エレベータ乗用空間に設けられたプッシュ板と、前記プッシュ板に対応する前記エレベータ昇降空間内に設けられた上限スイッチと下向きコマンドスイッチとより構成しており、前記上限スイッチは前記補助制御盤の運転時に前記下向きコマンドスイッチを起動させることを特徴とする。
【発明の効果】
【０００９】
本発明のエレベータ用緊急救援システムは、上記した課題を解決するための手段により、次のような効果の少なくとも一つを得ることができる。
＜１＞本発明は、エレベータ乗用空間内に設置された緊急操作ボタンにより、補助制御盤と補助ドア開け器とを予備電力システムを介して作動させ、また同時にエレベータ乗用空間とエレベータ昇降空間との間に配置した光感応システムと方向判別定位システムとを作動させることによって、緊急時に対応可能な運転を可能としたものである。この結果、エレベータ内に閉じ込められた乗用者は、自動運転により安全に避難することができる。
＜２＞また、乗用者がエレベータ乗用空間内にある緊急操作ボタンを押すだけで、脱出することができる、簡単なシステムである。
【発明を実施するための最良の形態】
【００１０】
以下、本発明を図１〜３の概略図、および図４の操作ブロック図を参照にしながら説明する。
【００１１】
本発明は、エレベータの昇降空間（１０）、昇降動力システム（２０）、エレベータ乗用空間（３０）、予備電力システム（４０）、光感応システム（５０）、方向判別定位システム（６０）および補助制御盤（７０）とより構成している。
以下、各部詳細について説明する。
【００１２】
エレベータの昇降空間（１０）は、高層ビルの内部に長方形状に形成された空間であって、高層ビルの各階に対応する位置にはエレベータドアの開け口（１１）を設ける。
【００１３】
昇降動力システム（２０）は、エレベータの昇降空間（１０）内に設置されている。昇降動力システム（２０）は、主要動力セット（２１）と予備動力セット（２２）とからなり、両者の間は電磁クラッチ２３で繋がれており、それぞれ独立した運転が可能な構成となっている。
【００１４】
エレベータ乗用空間（３０）は、エレベータの昇降空間（１０）内に配置されており、昇降動力システム（２０）によって昇降自在に連結されている。エレベータ乗用空間（３０）の一側には、エレベータ昇降空間（１０）に設けられたエレベータドアの開け口（１１）と対応する電動乗用空間ドア（３１）が設けてあり、電動乗用空間ドア（３１）のそばには補助ドア開け器（３２）を設ける。また、エレベータ乗用空間（３０）の内部にはコントロールパネル（３３）が設けてあり、これによって昇降動力システム（２０）を操作することができる。また、エレベータ乗用空間（３０）内には、点滅可能な指示パネル（３５）を備え、また指示パネル（３５）には、点滅可能な緊急操作ボタン（３４）を配置する。
【００１５】
予備電力システム（４０）は、直接電源（４１）とバッテリ電源（４２）とから構成している。直接電源（４１）とバッテリ電源（４２）は、電力の存在によって作動し、エレベータ乗用空間（３０）の緊急操作ボタン（３４）によって操作することができる。また、予備電力システム（４０）には、昇降動力システム（２０）の予備動力セット（２２）と、エレベータ乗用空間（３０）の補助ドア開け器（３２）とが繋がっている。
【００１６】
光感応システム（５０）は、数個の感応遮蔽シート（５１）と光感応スイッチ（５２）とを有し、光感応スイッチ（５２）はエレベータ乗用空間（３０）に設置し、数個の感応遮蔽シート（５１）はそれぞれ、光感応スイッチ（５２）と対応したエレベータの昇降空間（１０）内に配置する。
【００１７】
方向判別定位システム（６０）は、上限スイッチ（６１）と、下向きコマンドスイッチ（６３）と、プッシュ板（６２）とより構成している。プッシュ板（６２）はエレベータ乗用空間（３０）本体に設置されており、上限スイッチ（６１）と下向きコマンドスイッチ（６３）はプッシュ板（６２）に対応したエレベータ昇降空間（１０）内に設置し、上限スイッチ（６１）は下向きコマンドスイッチ（６３）を触発できるように構成している。
【００１８】
補助制御盤（７０）は、予備電力システム（４０）の電力によって支配されており、プロセス制御素子を有している。補助制御盤（７０）は、光感応システム（５０）、中央コントロールシステム（高層ビルの警備室）および方向判別定位システム（６０）と繋がっている。補助制御盤（７０）は、エレベータ乗用空間（３０）に備える緊急操作ボタン（３４）によってコントロールされ、緊急操作ボタン（３４）は補助制御盤（７０）と合わせて点滅し、また方向判別定位システム（６０）の下向きコマンドスイッチ（６３）と繋がっている。
【実施例】
【００１９】
通常の状態でエレベータを操作する場合、エレベータ乗用空間（３０）内の乗用者は、コントロールパネル（３３）で昇降動力システム（２０）の主要動力セット（２１）を操作し、エレベータ乗用空間（３０）を昇降または停止する。
【００２０】
エレベータが故障（たとえば、エレベータの電気中断、主要動力セットの故障、主コントロールシステムの故障）した場合、エレベータ乗用空間（３０）はブレーキによって直ぐに停止し（ブレーキ緊急自動停止は、従来のエレベータが使う設備と同じであるため省略する。）、主要動力セット（２１）および主電源も自動的に停止する。それに対して、補助制御盤（７０）と予備電力システム（４０）は自動的に起動して、また補助制御盤（７０）から中央コントロールシステム（高層ビルの警備室）へ連絡され、外部の人にエレベータ乗用空間（３０）内に閉じ込められた人がいることを知らせる。また、同時に補助制御盤（７０）がエレベータ乗用空間（３０）内の緊急操作ボタン（３４）を点滅させ、エレベータ乗用空間（３０）内の乗用者に緊急の旨を知らせ、緊急操作ボタン（３４）を利用させる。
【００２１】
乗用者が緊急操作ボタン（３４）を押すと、補助制御盤（７０）が直ぐに光感応システム（５０）と方向判別定位システム（６０）とにより、エレベータ乗用空間（３０）の場所を検知する。
【００２２】
光反応システム（５０）は、エレベータ乗用空間（３０）が設定位置を超えているかを検知する。もしその位置が正常の位置、すなわちエレベータの昇降空間（１０）のエレベータドアの開け口（１１）と対応する位置にある場合には、補助制御盤（７０）は予備電力システム（４０）をもって、補助ドア開け器（３２）を介して、エレベータ乗用空間（３０）の電動乗用空間ドア（３１）を起動し、乗用者を脱出できるようにする。
【００２３】
エレベータ乗用空間（３０）の位置が、ちょうど上と下の階の中間部に位置する場合、方向判別定位システム（６０）は補助制御盤（７０）へ、エレベータ乗用空間（３０）がエレベータ昇降空間（１０）のどの位置にあるかを知らせる。そして、補助制御盤（７０）が予備電力システム（４０）と昇降動力システム（２０）の予備動力セット（２２）を利用して、エレベータ乗用空間（３０）を何れか近い方にあるエレベータドアの開け口（１１）へ移動させる。その後、補助制御盤（７０）が補助ドア開け器（３２）を作動し、エレベータ乗用空間（３０）の電動乗用空間ドア（３１）を起動して、乗用者をエレベータ昇降空間（１０）のエレベータドアの開け口（１１）から外に脱出できるようにする。
【００２４】
また、エレベータ乗用空間（３０）の位置が、最高階より高い位置または最低階より低い位置にある場合、方向判別定位システム（６０）から補助制御盤（７０）へ、エレベータ乗用空間（３０）が設定位置（最高階より高い位置または最低階より低い位置）を超えたことを知らせる。そして、補助制御盤（７０）が予備電力システム（４０）と昇降動力システム（２０）の予備電力セット（２２）を利用し、エレベータ乗用空間（３０）を任意の方向（低い場合は最近の上階へ、高い場合は最近の下階へ）に移動する。その後、補助制御盤（７０）が補助ドア開け器（３２）を作動して、エレベータ乗用空間（３０）の電動乗用空間ドア（３１）を起動し、乗用者をエレベータドアの開け口（１１）から脱出させる。
【００２５】
以上のように、エレベータの乗用者は、緊急事態をボタンの点滅によって知ることができ、そしてそれを基にボタンを押すだけで、自動的にかつ安全なプロセスを経て脱出することができるものである。
【００２６】
光感応システム（５０）は、光感応スイッチ（５２）がエレベータ昇降空間（１０）の感応遮蔽シート（５１）と対応した位置に配置されており、感応遮蔽シート（５１）が光感応スイッチ（５２）を利用して高度を検知できる。
【００２７】
方向判別定位システム（６０）は、一般の運転時に上限スイッチ（６１）と主コントロールシステムとの組み合わせで検知するが、補助制御盤（７０）が作動する時、上限スイッチ（６１）は下向きコマンドスイッチ（６３）を触発させるので、方向判別定位システム（６０）というのは、エレベータ昇降空間（１０）内の上限スイッチ（６１）、下向きコマンドスイッチ（６３）が直接にエレベータ乗用空間（３０）に接触し感応することで、補助制御盤（７０）がエレベータ乗用空間（３０）の位置を、設定位置を超えたかを知らせる（最高階より高く又は最低階より低い位置）。それで補助制御盤（７０）が昇降方向を決定する。
【図面の簡単な説明】
【００２８】
【図１】本発明におけるハードの配置概略図。
【図２】本発明のその他のハードの配置概略図。
【図３】エレベータ乗用空間内部の一部を示した概略図。
【図４】本発明における作動ブロック図。
【符号の説明】
【００２９】
エレベータ昇降空間（１０）
エレベータドアの開け口（１１）
昇降動力システム（２０）
主要動力セット（２１）
予備動力セット（２２）
電磁クラッチ（２３）
エレベータ乗用空間（３０）
電動乗用空間ドア（３１）
補助ドア開け器（３２）
コントロールパネル（３３）
緊急操作ボタン（３４）
指示パネル（３５）
予備電力システム（４０）
直接電源（４１）
バッテリ電源（４２）
光感応システム（５０）
感応遮蔽シート（５１）
光感応スイッチ（５２）
方向判別定位システム（６０）
上限スイッチ（６１）
プッシュ板（６２）
下向きコマンドスイッチ（６３）
補助制御盤（７０）
【図１】
2005212939.tif 000003
【図２】
2005212939.tif 000004
【図３】
2005212939.tif 000005
【図４】
2005212939.tif 000006